(57)【要約】【課題】  本発明は、監視対象のユーザに不測の事態が発生したことを監視者に確実に通知することができる端末装置及び情報送信方法を提供することを目的とする。【解決手段】  監視対象のユーザの現在の状態が、通常時におけるユーザの状態の範囲内に収まるか否かを判定し、その結果、ユーザの現在の状態が、通常時におけるユーザの状態の範囲内に収まらないと判定した場合には、警告情報を生成し所定の通知先に送信する制御部１００を備える。【選択図】  図２
2013165437.tif 000002
【特許請求の範囲】
【請求項１】
ユーザの健康状態を表す生体データを取得するための生体センサ部と、ユーザが現在置かれている環境を表す環境データを取得するための環境センサ部と、ＧＰＳ衛星から送信される電波を受信することにより、現在の位置を表す位置データを取得する位置データ取得部とのうち、少なくともいずれか一つを含むユーザ状態データ取得部と、
ユーザの身体の正常範囲に関する情報と、通常時におけるユーザの行動に関する情報とのうち、少なくともいずれか一方をユーザ基準範囲情報として記憶すると共に、ユーザの監視者としての通知先に関する情報を通知先情報として記憶する記憶部と、
前記生体データ、前記環境データ及び前記位置データのうち、少なくともいずれか一つのデータが、監視対象のユーザの現在の状態を表すユーザ状態データとして、前記ユーザ状態データ取得部において取得されると、前記記憶部から前記ユーザ基準範囲情報を読み出し、前記ユーザ状態データが、前記ユーザ基準範囲情報によって示される基準範囲内に収まるか否かを判定する判定部と、
前記ユーザ状態データが、前記ユーザ基準範囲情報によって示される基準範囲内に収まらないと判定した場合には、前記記憶部から前記通知先情報を読み出すと共に、所定の警告情報を生成し、前記警告情報を前記通知先情報が示す通知先に送信する送信部と
を備えることを特徴とする端末装置。
【請求項２】
前記ユーザ状態データ取得部において過去に取得された前記ユーザ状態データの履歴を解析することにより、前記ユーザ基準範囲情報を生成し前記記憶部に記憶する解析部
をさらに備えることを特徴とする請求項１に記載の端末装置。
【請求項３】
ユーザの身体の正常範囲に関する情報と、通常時におけるユーザの行動に関する情報とのうち、少なくともいずれか一方をユーザ基準範囲情報として記憶部に記憶すると共に、ユーザの監視者としての通知先に関する情報を通知先情報として前記記憶部に記憶する記憶ステップと、
ユーザの健康状態を表す生体データを取得するための生体センサ部と、ユーザが現在置かれている環境を表す環境データを取得するための環境センサ部と、ＧＰＳ衛星から送信される電波を受信することにより、現在の位置を表す位置データを取得する位置データ取得部とのうち、少なくともいずれか一つを含むユーザ状態データ取得部において、前記生体データ、前記環境データ及び前記位置データのうち、少なくともいずれか一つのデータを、監視対象のユーザの現在の状態を表すユーザ状態データとして取得する取得ステップと、
前記記憶部から前記ユーザ基準範囲情報を読み出し、前記ユーザ状態データが、前記ユーザ基準範囲情報によって示される基準範囲内に収まるか否かを判定する判定ステップと、
前記ユーザ状態データが、前記ユーザ基準範囲情報によって示される基準範囲内に収まらないと判定した場合には、前記記憶部から前記通知先情報を読み出すと共に、所定の警告情報を生成し、前記警告情報を前記通知先情報が示す通知先に送信する送信ステップと
を備えることを特徴とする情報送信方法。
【請求項４】
前記ユーザ状態データ取得部において過去に取得された前記ユーザ状態データの履歴を解析することにより、前記ユーザ基準範囲情報を生成し前記記憶部に記憶する解析ステップ
をさらに備えることを特徴とする請求項３に記載の情報送信方法。
【発明の詳細な説明】
【技術分野】
【０００１】
本発明は、端末装置及び情報送信方法に関する。
【背景技術】
【０００２】
近年、事故などの不測の事態が発生した場合に備えるため、種々の装置が開発されている。かかる装置として、例えば、緊急事態が発生した際には、ユーザが予め設定した連絡先に、緊急事態が発生したことを通報する緊急通報装置が提案されている（例えば、特許文献１参照）。
【先行技術文献】
【特許文献】
【０００３】
【特許文献１】特開２００４−３５５５３９号公報
【発明の概要】
【発明が解決しようとする課題】
【０００４】
本発明は、監視対象のユーザに不測の事態が発生したことを監視者に確実に通知することができる端末装置及び情報送信方法を提供することを目的とする。
【課題を解決するための手段】
【０００５】
本発明の一態様による端末装置は、
ユーザの健康状態を表す生体データを取得するための生体センサ部と、ユーザが現在置かれている環境を表す環境データを取得するための環境センサ部と、ＧＰＳ衛星から送信される電波を受信することにより、現在の位置を表す位置データを取得する位置データ取得部とのうち、少なくともいずれか一つを含むユーザ状態データ取得部と、
ユーザの身体の正常範囲に関する情報と、通常時におけるユーザの行動に関する情報とのうち、少なくともいずれか一方をユーザ基準範囲情報として記憶すると共に、ユーザの監視者としての通知先に関する情報を通知先情報として記憶する記憶部と、
前記生体データ、前記環境データ及び前記位置データのうち、少なくともいずれか一つのデータが、監視対象のユーザの現在の状態を表すユーザ状態データとして、前記ユーザ状態データ取得部において取得されると、前記記憶部から前記ユーザ基準範囲情報を読み出し、前記ユーザ状態データが、前記ユーザ基準範囲情報によって示される基準範囲内に収まるか否かを判定する判定部と、
前記ユーザ状態データが、前記ユーザ基準範囲情報によって示される基準範囲内に収まらないと判定した場合には、前記記憶部から前記通知先情報を読み出すと共に、所定の警告情報を生成し、前記警告情報を前記通知先情報が示す通知先に送信する送信部と
を備える。
【０００６】
また、本発明の一態様による情報送信方法は、
ユーザの身体の正常範囲に関する情報と、通常時におけるユーザの行動に関する情報とのうち、少なくともいずれか一方をユーザ基準範囲情報として記憶部に記憶すると共に、ユーザの監視者としての通知先に関する情報を通知先情報として前記記憶部に記憶する記憶ステップと、
ユーザの健康状態を表す生体データを取得するための生体センサ部と、ユーザが現在置かれている環境を表す環境データを取得するための環境センサ部と、ＧＰＳ衛星から送信される電波を受信することにより、現在の位置を表す位置データを取得する位置データ取得部とのうち、少なくともいずれか一つを含むユーザ状態データ取得部において、前記生体データ、前記環境データ及び前記位置データのうち、少なくともいずれか一つのデータを、監視対象のユーザの現在の状態を表すユーザ状態データとして取得する取得ステップと、
前記記憶部から前記ユーザ基準範囲情報を読み出し、前記ユーザ状態データが、前記ユーザ基準範囲情報によって示される基準範囲内に収まるか否かを判定する判定ステップと、
前記ユーザ状態データが、前記ユーザ基準範囲情報によって示される基準範囲内に収まらないと判定した場合には、前記記憶部から前記通知先情報を読み出すと共に、所定の警告情報を生成し、前記警告情報を前記通知先情報が示す通知先に送信する送信ステップと
を備える。
【発明の効果】
【０００７】
本発明の端末装置及び情報送信方法によれば、監視対象のユーザに不測の事態が発生したことを監視者に確実に通知することができる。
【図面の簡単な説明】
【０００８】
【図１】本発明の実施の形態による情報送信システムの構成を示すブロック図である。
【図２】同情報送信システムにおけるモニタ用端末装置の構成を示すブロック図である。
【図３】本発明の実施の形態による情報送信処理手順を示すフローチャートである。
【発明を実施するための形態】
【０００９】
以下、本発明の実施の形態について図面を参照して説明する。
【００１０】
図１に、本発明の実施の形態による情報送信システム１０の構成を示す。この情報送信システム１０は、監視対象のユーザに不測の事態が発生した場合、警告情報を生成し、これを所定の通知先に送信するサービスを実現するためのシステムであり、モニタ用端末装置２０と携帯電話機３０とを有する。図２に、モニタ用端末装置２０の回路構成を示す。
【００１１】
端末装置に対応するモニタ用端末装置２０は、監視対象のユーザの腕や靴などに取り付けられ、ユーザの健康状態や行動を監視するための装置である。本実施の形態の場合、ユーザ又は当該ユーザを監視する監視者は、表示部１５０を目視しながら入力部１２０を操作することにより、監視対象のユーザの身体や行動に関する情報を予め入力及び設定する。
【００１２】
具体的には、監視対象のユーザの身体に関する情報としては、ユーザの体温や血圧の正常範囲に関する情報を入力する。また、ユーザの行動に関する情報としては、ユーザが通常移動する際の速度範囲、ユーザに通常加えられる圧力範囲、任意の出発地から目的地に移動する場合においてユーザが通常使用する移動経路に関する情報を入力する。
【００１３】
制御部１００は、この入力部１２０を介して入力された情報を、ユーザの身体や行動の基準範囲に関する情報、すなわちユーザ基準範囲情報として、記憶部１６０に記憶する。なお、このユーザ基準範囲情報としては、例えばユーザの脈拍の正常範囲に関する情報など、他の種々の情報を入力するようにしても良い。
【００１４】
また、ユーザ又は当該ユーザを監視する監視者は、監視対象のユーザに体調の変化や事故などの不測の事態が発生した場合に、所定の警告情報を通知するための通知先に関する情報を通知先情報として予め入力及び設定する。
【００１５】
本実施の形態の場合には、通知先情報として、携帯電話機３０のメールアドレスを記憶部１６０に予め記憶する。なお、通知先情報としては、例えば携帯電話機３０の電話番号など、他の種々の通知先情報を適用することができる。また、通知先としては、例えばパーソナルコンピュータなど、他の種々の装置を適用するようにしても良い。
【００１６】
ところで、モニタ用端末装置２０は、種々のセンサ群からなるセンサ部１１０を有し、当該センサ部１１０は、ユーザの健康状態に関するデータを生成するための生体センサ部１１０Ａと、ユーザが現在置かれている環境や状況に関するデータを生成するための環境センサ部１１０Ｂとを有する。
【００１７】
本実施の形態の場合、生体センサ部１１０Ａとして、体温センサ及び血圧センサを有し、環境センサ部１１０Ｂとして、速度センサ及び感圧センサを有する。なお、センサ部１１０としては、例えば脈拍センサや加速度センサなど、他の種々のセンサを適用するようにしても良い。
【００１８】
このようにして、センサ部１１０は、ユーザの健康状態に関する生体データと、ユーザが現在置かれている環境や状況に関する環境データとを生成し、これらを制御部１００に与える。
【００１９】
制御部１００は、生体データ及び環境データをセンサ部１１０から取得すると共に、ＧＰＳ衛星から送信される電波をアンテナ１４０を介して受信することにより、当該モニタ用端末装置２０（すなわち監視対象のユーザ）の現在位置に関するデータとして位置データを取得する。
【００２０】
なお、これら生体データ、環境データ及び位置データのうち、いずれか１つ又は２つのデータのみを取得するようにしても良く、要は、生体データ、環境データ及び位置データのうち、少なくともいずれか１つ以上のデータを取得すれば良い。
【００２１】
このように、制御部１００は、ユーザ状態データとして、生体データ、環境データ及び位置データを取得すると、記憶部１６０からユーザ基準範囲情報を読み出し、監視対象のユーザに不測の事態が発生しているか否かを判定する。
【００２２】
具体的には、制御部１００は、体温センサによって測定されたユーザの体温が、当該ユーザの体温の正常範囲内にあるか否かを判定する。その結果、制御部１００は、測定されたユーザの体温が、当該ユーザの体温の正常範囲内にないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００２３】
同様に、制御部１００は、血圧センサによって測定されたユーザの血圧が、当該ユーザの血圧の正常範囲内にあるか否かを判定する。その結果、制御部１００は、測定されたユーザの血圧が、当該ユーザの血圧の正常範囲内にないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００２４】
同様に、制御部１００は、速度センサによって測定されたユーザの移動速度が、当該ユーザが通常移動する際の速度範囲内にあるか否かを判定する。その結果、制御部１００は、測定されたユーザの移動速度が、当該ユーザが通常移動する際の速度範囲内にないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００２５】
同様に、制御部１００は、感圧センサによって測定されたユーザに加えられた圧力が、当該ユーザに通常加えられる圧力範囲内にあるか否かを判定する。その結果、制御部１００は、測定されたユーザに対する圧力が、当該ユーザに通常加えられる圧力範囲内にないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００２６】
同様に、制御部１００は、ＧＰＳ衛星によって測定されたユーザの現在位置が、当該ユーザが通常使用する移動経路上にあるか否かを判定する。その結果、制御部１００は、測定されたユーザの現在位置が、当該ユーザが通常使用する移動経路上にないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００２７】
このようにして、制御部１００は、監視対象のユーザの現在の状態を表すユーザ状態データを取得すると、通常時におけるユーザの状態に関する情報を表すユーザ基準範囲情報を記憶部１６０から読み出し、当該ユーザの現在の状態が、通常時におけるユーザの状態の範囲内に収まるか否かを判定する。
【００２８】
その結果、制御部１００は、ユーザの現在の状態が、通常時におけるユーザの状態の範囲内に収まらないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００２９】
ここで図３に、本実施の形態による情報送信処理手順ＲＴ１０を示す。この図３において、モニタ用端末装置２０の制御部１００は、情報送信処理手順ＲＴ１０に入ると、ステップＳＰ１０に移って、監視対象のユーザの現在の状態を表すユーザ状態データを取得する。
【００３０】
ステップＳＰ２０において、制御部１００は、通常時におけるユーザの状態に関する情報を表すユーザ基準範囲情報を記憶部１６０から読み出し、当該ユーザの現在の状態が、通常時におけるユーザの状態の範囲内に収まるか否かを判定する。
【００３１】
ステップＳＰ２０において否定結果が得られると、このことは、ユーザの現在の状態が、通常時におけるユーザの状態の範囲内に収まらなかったことを表しており、このとき制御部１００はステップＳＰ３０に移って、記憶部１６０から通知先情報を読み出すと共に、所定の警告情報を生成し、送受信処理部１３０及びアンテナ１４０を介して、警告情報を通知先の携帯電話機３０に送信した後、ステップＳＰ１０に戻って上述の動作を繰り返す。
【００３２】
これに対して、ステップＳＰ２０において肯定結果が得られると、このことは、ユーザの現在の状態が、通常時におけるユーザの状態の範囲内に収まったことを表しており、このとき制御部１００はステップＳＰ１０に戻って上述の動作を繰り返す。
【００３３】
このように本実施の形態によれば、監視対象のユーザに不測の事態が発生した場合には、自動的に警告情報を生成して所定の通知先に送信することにより、当該ユーザに不測の事態が発生したことを監視者に確実に通知することができる。
【００３４】
なお、上述の実施の形態においては、単一のモニタ用端末装置１０をユーザの身体に取り付けた場合について述べたが、本発明はこれに限らず、例えば靴の左右にそれぞれモニタ用端末装置を搭載するようにしても良い。
【００３５】
この場合、監視対象のユーザが左右の靴を履いた状態で行動する際に、左右の靴の間の距離としてとり得る通常の距離範囲を記憶部１６０に予め記憶する。この状態において、モニタ用端末装置２０の制御部１００は、送受信処理部１３０及びアンテナ１４０を介して、他方のモニタ用端末装置２０と通信することにより、当該他方のモニタ用端末装置２０の位置データを取得する。
【００３６】
制御部１００は、自己が取得した位置データと、他方のモニタ用端末装置２０から送信された位置データとに基づいて、２つのモニタ用端末装置２０の間の距離を算出すると共に、記憶部１６０から通常の距離範囲を読み出し、算出された距離が通常の距離範囲内にあるか否かを判定する。
【００３７】
その結果、制御部１００は、算出された距離が、通常の距離範囲内にないと判定した場合には、記憶部１６０から通知先情報を読み出すと共に、所定の警告情報を生成する。そして制御部１００は、送受信処理部１３０及びアンテナ１４０を介して、警告情報を通知先の携帯電話機３０に送信することにより、監視対象のユーザに不測の事態が発生したことを監視者に通知する。
【００３８】
また、上述の実施の形態においては、ユーザ又は当該ユーザを監視する監視者がユーザ基準範囲情報を入力及び設定する場合について述べたが、本発明はこれに限らず、過去に取得されたユーザ状態データの履歴に基づいて、ユーザ基準範囲情報を生成するようにしても良い。具体的には、例えば、体温センサによって測定されたユーザの体温の履歴に基づいて、当該ユーザの体温の正常範囲を設定するようにしても良い。
【００３９】
また、上述の実施の形態においては、生体センサ部として、生体センサ部１１０Ａを適用する場合について述べたが、本発明はこれに限らず、ユーザの健康状態を表す生体データを取得するための他の種々の生体センサ部を適用するようにしても良い。
【００４０】
また、上述の実施の形態においては、環境センサ部として、環境センサ部１１０Ｂを適用する場合について述べたが、本発明はこれに限らず、ユーザが現在置かれている環境を表す環境データを取得するための他の種々の環境センサ部を適用するようにしても良い。
【００４１】
また、上述の実施の形態においては、位置データ取得部として、制御部１００を適用する場合について述べたが、本発明はこれに限らず、ＧＰＳ衛星から送信される電波を受信することにより、現在の位置を表す位置データを取得する他の種々の位置データ取得部を適用するようにしても良い。
【００４２】
また、上述の実施の形態においては、ユーザ状態データ取得部として、センサ部１１０及び制御部１００を適用する場合について述べたが、本発明はこれに限らず、ユーザの健康状態を表す生体データを取得するための生体センサ部と、ユーザが現在置かれている環境を表す環境データを取得するための環境センサ部と、ＧＰＳ衛星から送信される電波を受信することにより、現在の位置を表す位置データを取得する位置データ取得部とのうち、少なくともいずれか一つを含む他の種々のユーザ状態データ取得部を適用するようにしても良い。
【００４３】
また、上述の実施の形態においては、記憶部として、記憶部１６０を適用する場合について述べたが、本発明はこれに限らず、ユーザの身体の正常範囲に関する情報と、通常時におけるユーザの行動に関する情報とのうち、少なくともいずれか一方をユーザ基準範囲情報として記憶すると共に、ユーザの監視者としての通知先に関する情報を通知先情報として記憶する他の種々の記憶部を適用するようにしても良い。
【００４４】
また、上述の実施の形態においては、判定部として、制御部１００を適用する場合について述べたが、本発明はこれに限らず、生体データ、環境データ及び位置データのうち、少なくともいずれか一つのデータが、監視対象のユーザの現在の状態を表すユーザ状態データとして、ユーザ状態データ取得部において取得されると、記憶部からユーザ基準範囲情報を読み出し、ユーザ状態データが、ユーザ基準範囲情報によって示される基準範囲内に収まるか否かを判定する他の種々の判定部を適用するようにしても良い。
【００４５】
また、上述の実施の形態においては、送信部として、制御部１００を適用する場合について述べたが、本発明はこれに限らず、ユーザ状態データが、ユーザ基準範囲情報によって示される基準範囲内に収まらないと判定した場合には、記憶部から通知先情報を読み出すと共に、所定の警告情報を生成し、警告情報を前記通知先情報が示す通知先に送信する他の種々の送信部を適用するようにしても良い。
【００４６】
また、上述の実施の形態においては、解析部として、制御部１００を適用する場合について述べたが、本発明はこれに限らず、ユーザ状態データ取得部において過去に取得されたユーザ状態データの履歴を解析することにより、ユーザ基準範囲情報を生成し記憶部に記憶する他の種々の解析部を適用するようにしても良い。
【符号の説明】
【００４７】
１０  情報送信システム
２０  モニタ用端末装置
３０  携帯電話機
１００  制御部
１１０  センサ部
１２０  入力部
１３０  送受信処理部
１４０  アンテナ
１５０  表示部
１６０  記憶部
【図１】
2013165437.tif 000003
【図２】
2013165437.tif 000004
【図３】
2013165437.tif 000005